(57)【特許請求の範囲】
【請求項１】
処理槽と、
前記処理槽内に設けられ、平面視矩形状の棚部と、前記棚部の角部に位置し、前記棚部を保持する柱部と、を有するラックと、
前記ラックに設けられ、前記棚部の平面中央部に向かって平面視円形状の吐出領域で洗浄液が吐出される中央部ノズルと、
前記平面視円形状の吐出領域の周辺で前記ラックに設けられ、前記棚部の平面角部に向かって洗浄液が吐出される角部ノズルと、
前記中央部ノズルと連通して前記ラックに設けられ、洗浄液が注入される第１注入部を有する第１回路部と、
前記角部ノズルと連通して前記ラックに設けられ、洗浄液が注入される第２注入部を有する第２回路部と、
前記中央部ノズルから洗浄液を吐出させる第１機能または前記角部ノズルから洗浄液を吐出させる第２機能の少なくともいずれか一方を実行させ、あるいは前記第１機能と前記第２機能を交互に実行させる制御部と、
前記処理槽外に設けられ、洗浄液を送り出すポンプと、第１流入口および第１流出口を有する二方弁と、第２流入口、第２流出口および第３流出口を有する三方弁と、複数の管と、を有する槽外回路部と、を備え、
前記複数の管には、前記ポンプから分岐して前記第１流入口および前記第２流入口のそれぞれと連通する第１管と、前記第１流出口と前記第１回路部を介して前記中央部ノズルとを連通する第２管と、前記第２流出口と前記第２回路部を介して前記角部ノズルとを連通する第３管と、前記第３流出口と前記第２管の中途部とを連通する第４管と、が含まれ、
前記第４管の流路抵抗が、前記第１、第２および前記第３管の流路抵抗よりも高く、
前記制御部が前記第１機能および前記第２機能を実行させるにあたり、前記二方弁および前記三方弁の開閉が制御されること
を特徴とする洗浄装置。
【請求項２】
前記処理槽に設けられ、前記第１注入部と連通された状態で前記第１回路部へ洗浄液が供給される第１供給部と、
前記処理槽に設けられ、前記第２注入部と連通された状態で前記第２回路部へ洗浄液が供給される第２供給部と、を更に備え、
前記第１供給部は、中空の膨張体であって洗浄液の流入によって膨張された状態で前記第１注入部と連通され、
前記第２供給部は、中空の膨張体であって洗浄液の流入によって膨張された状態で前記第２注入部と連通されること
を特徴とする請求項１記載の洗浄装置。
【請求項３】
前記中央部ノズルが前記第１回路部で着脱可能に設けられること
を特徴とする請求項１または２記載の洗浄装置。
【請求項４】
前記角部ノズルが前記第２回路部で着脱可能に設けられること
を特徴とする請求項１〜３のいずれか一項に記載の洗浄装置。
【請求項５】
前記第２回路部が管状の前記柱部で着脱可能に設けられるキャップ部を有すること
を特徴とする請求項１〜４のいずれか一項に記載の洗浄装置。
【請求項６】
前記処理槽に設けられる超音波発振部を更に備えること
を特徴とする請求項１〜５のいずれか一項に記載の洗浄装置。
【請求項７】
前記角部ノズルが管状の前記柱部に連通して設けられること
を特徴とする請求項１〜６のいずれか一項に記載の洗浄装置。
【請求項８】
前記角部ノズルが前記棚部を構成する管状の骨部に連通して設けられること
を特徴とする請求項１〜７のいずれか一項に記載の洗浄装置。
【発明の詳細な説明】
【技術分野】
【０００１】
本発明は、被洗浄物を洗浄する洗浄装置に適用して有効な技術に関する。
【背景技術】
【０００２】
特開２０１５−２４３８３号公報（特許文献１）には、洗浄装置において、被洗浄物を収容したバスケットが棚部に載置され、洗浄槽内で配設された給液管を通って洗浄液が回転ノズルから被洗浄物へ噴射される技術が記載されている（特に、その明細書段落［００２０］−［００２２］、図１、図２参照）。
【０００３】
特開２００８−１１９５９１号公報（特許文献２）には、洗浄装置において、洗浄槽内の上部および下部に設けられた回転噴射ノズルの間に、洗浄器材がラックなどに載置されて挿入され、回転噴射ノズルの噴射流が洗浄器材に噴射される技術が記載されている（特に、その明細書段落［０００８］、図２参照）。
【先行技術文献】
【特許文献】
【０００４】
【特許文献１】特開２０１５−２４３８３号公報
【特許文献２】特開２００８−１１９５９１号公報
【発明の概要】
【発明が解決しようとする課題】
【０００５】
特許文献１に記載のような洗浄装置では、平面視矩形状の棚部を有するラックに被洗浄物が積載され、平面視円形状に洗浄液を吐出するよう棚部近傍に設けられた棒状のノズルがこの中心で回転（円運動）する。すなわち、平面視矩形状の棚部に対して平面視円形状に洗浄液が吐出される。ところで、洗浄槽にはラックを収容するための空間があるが、棒状のノズルが長すぎると洗浄槽の内壁面などと衝突してしまう。他方、ノズルの長さが短くなりすぎると、棚部の平面角部はノズルからの洗浄液が届かない死角領域となってしまう。したがって、棚部の平面角部に積載された被洗浄物を洗浄するのが困難となり、洗浄効果が低下してしまうおそれがある。
【０００６】
この点、棚部を平面視において正方形または正方形に近い形で構成することが考えられる。これにより、ノズルが回転しながら洗浄液を吐出して形成される平面視円形状の吐出面積に対して、この面積範囲に入らない角部の面積の比率を比較的小さくすることができる。しかしながら、洗浄装置でラックを収容する間口の寸法を大きくせず、洗浄可能な被洗浄物の量を増したい場合には、棚部が平面視長方形（奥行き方向が長辺）となってしまう。結局、積載性を考慮した場合、平面視円形状の吐出面積に対して平面視長方形状の棚板の角部の面積の比率が大きくなり、洗浄液が届きにくい領域が増え、洗浄効果が低下してしまう。
【０００７】
なお、棚部の段を増やしたり（各段に対するノズルも増える）、一段の棚部の平面に対してノズルを複数にして洗浄液が届きにくい領域を減らしたりすることも考えられる。しかしながら、回転部品であるノズルが増えることにより装置の信頼性が低下するおそれがある。
【０００８】
本発明の目的は、被洗浄物を洗浄する効果を向上させることのできる技術を提供することにある。
【課題を解決するための手段】
【０００９】
本願において開示される発明のうち、代表的なものの概要を簡単に説明すれば、洗浄装置は、処理槽と、前記処理槽内に設けられ、平面視矩形状の棚部と、前記棚部の角部に位置し、前記棚部を保持する柱部と、を有するラックと、前記ラックに設けられ、前記棚部の平面中央部に向かって平面視円形状の吐出領域で洗浄液が吐出される中央部ノズルと、前記平面視円形状の吐出領域の周辺で前記ラックに設けられ、前記棚部の平面角部に向かって洗浄液が吐出される角部ノズルと、前記中央部ノズルと連通して前記ラックに設けられ、洗浄液が注入される第１注入部を有する第１回路部と、前記角部ノズルと連通して前記ラックに設けられ、洗浄液が注入される第２注入部を有する第２回路部と、前記中央部ノズルから洗浄液を吐出させる第１機能または前記角部ノズルから洗浄液を吐出させる第２機能の少なくともいずれか一方を実行させ、あるいは前記第１機能と前記第２機能を交互に実行させる制御部と、前記処理槽外に設けられ、洗浄液を送り出すポンプと、第１流入口および第１流出口を有する二方弁と、第２流入口、第２流出口および第３流出口を有する三方弁と、複数の管と、を有する槽外回路部と、を備え、前記複数の管には、前記ポンプから分岐して前記第１流入口および前記第２流入口のそれぞれと連通する第１管と、前記第１流出口と前記第１回路部を介して前記中央部ノズルとを連通する第２管と、前記第２流出口と前記第２回路部を介して前記角部ノズルとを連通する第３管と、前記第３流出口と前記第２管の中途部とを連通する第４管と、が含まれ、前記第４管の流路抵抗が、前記第１、第２および前記第３管の流路抵抗よりも高く、前記制御部が前記第１機能および前記第２機能を実行させるにあたり、前記二方弁および前記三方弁の開閉が制御されることを特徴とする。
【発明の効果】
【００１０】
本願において開示される発明のうち、代表的なものによって得られる効果を簡単に説明すれば、被洗浄物を洗浄する効果を向上させることができる。
【図面の簡単な説明】
【００１１】
【図１】本発明の一実施形態に係る洗浄装置の概略構成図である。
【図２】本発明の一実施形態に係る洗浄装置の概略正面図である。
【図３】図２に示す洗浄装置の概略斜視図である。
【図４】図２に示す洗浄装置の一要部の概略斜視図である。
【図５】図２に示す洗浄装置の他の要部の概略平面図である。
【図６】本発明の一実施形態に係るラックの概略平面図である。
【図７】図６に示すラックの概略斜視図である。
【図８】図６に示すラックの一要部を拡大した概略斜視図である。
【図９】本発明の他の実施形態に係るラックの概略平面図である。
【図１０】図９に示すラックの概略斜視図である。
【図１１】図９に示すラックの一要部を拡大した概略斜視図である。
【図１２】本発明の他の実施形態に係るラックの概略平面図である。
【図１３】図１２に示すラックの概略斜視図である。
【図１４】図１２に示すラックの一要部を拡大した概略斜視図である。
【図１５】本発明の他の実施形態に係るラックの概略斜視図である。
【図１６】図１５に示すラックの概略斜視図であり、着脱可能な棚部を取り外した状態を示す。
【図１７】図１６に示す着脱可能な棚部の上方からの概略斜視図である。
【図１８】図１６に示す着脱可能な棚部の下方からの概略斜視図である。
【図１９】図１５に示すラックの一要部を拡大した概略斜視図である。
【発明を実施するための形態】
【００１２】
以下の本発明における実施形態では、必要な場合に複数のセクションなどに分けて説明するが、原則、それらはお互いに無関係ではなく、一方は他方の一部または全部の変形例、詳細などの関係にある。このため、全図において、同一の機能を有する部材には同一の符号を付し、その繰り返しの説明は省略する。また、構成要素の数（個数、数値、量、範囲などを含む）については、特に明示した場合や原理的に明らかに特定の数に限定される場合などを除き、その特定の数に限定されるものではなく、特定の数以上でも以下でも良い。また、構成要素などの形状に言及するときは、特に明示した場合および原理的に明らかにそうではないと考えられる場合などを除き、実質的にその形状などに近似または類似するものなどを含むものとする。
【００１３】
（実施形態１）
本発明に係る実施形態１の洗浄装置１０について図面を参照して説明する。この洗浄装置１０は、例えば、医療分野で利用される場合、被洗浄物として手術用のメスやハサミなどの医療器具を洗浄することができる。図１は、洗浄装置１０の概略構成図である。図２は、洗浄装置１０の概略正面図である。図３は、図２に示す洗浄装置１０の概略斜視図である。図４は、図２に示す洗浄装置１０の一要部（主に処理槽１２）の概略斜視図である。図５は、図２に示す洗浄装置１０の他の要部（主に槽外回路部６８）の概略平面図である。図６は、ラック１８の概略平面図である。図７は、図６に示すラック１８の概略斜視図である。図８は、図６に示すラック１８の一要部（主に角部ノズル２８）を拡大した概略斜視図である。なお、図６は、ラック１８の柱部１４を切断した状態で示している。
【００１４】
図１に示すように、洗浄装置１０は、処理槽１２（洗浄槽ともいう）と、処理槽１２内に設けられるラック１８と、を備える。処理槽１２は、内部で被洗浄物が洗浄処理されるよう密閉可能に構成される。ラック１８は、処理槽１２内に着脱可能（分離可能）に構成され、処理槽１２の開口部１２ａ（図２参照）から出し入れされる。これにより、ラック１８が処理槽１２外にある状態では、洗浄前の被洗浄物を積載したり、洗浄後の被洗浄物を取り出したりすることができる。
【００１５】
また、洗浄装置１０は、処理槽１２内において、上部に設けられる上部ノズル７０と、下部に設けられる下部ノズル７２と、を備える。また、洗浄装置１０は、上部ノズル７０および下部ノズル７２と連通して処理槽１２外に設けられ、洗浄液が流れる槽外回路部６８を備える。これにより、上部ノズル７０および下部ノズル７２は、槽外回路部６８から洗浄液の供給を受けることができる。また、洗浄装置１０は、処理槽１２外に設けられる制御部４８（例えば、ＣＰＵが搭載されたユニット）を備える。制御部４８は、洗浄装置１０が有する複数の機能を実行させる。例えば、制御部４８は、上部ノズル７０や下部ノズル７２からの洗浄液を吐出（噴射）する機能を実行させる際には、槽外回路部６８における洗浄液の流れを制御する。
【００１６】
処理槽１２内では、上部ノズル７０と下部ノズル７２の間にラック１８が設けられる。上部ノズル７０および下部ノズル７２は、例えば、吐出する洗浄液の吐出流によって回転する棒状の回転ノズルである。上部ノズル７０は、下方（すなわち、ラック１８）に向かって開口する吐出口７４を有し、回転しながら吐出口７４から洗浄液を吐出（噴射）する。すなわち、上部ノズル７０は、ラック１８に積載された被洗浄物に対して上方から洗浄液を吐出する。下部ノズル７２は、上方（すなわち、ラック１８）に向かって開口する吐出口７６を有し、回転しながら吐出口７６から洗浄液を吐出（噴射）する。すなわち、下部ノズル７２は、ラック１８に積載された被洗浄物に対して下方から洗浄液を吐出する。
【００１７】
また、洗浄装置１０は、処理槽１２内と連通するよう処理槽１２外に設けられ、水（洗浄液）が流れる水供給回路部７８を備える。水供給回路部７８は、制御部４８によって開閉が制御される二方弁８０（例えば、電磁弁）を備える。水供給回路部７８は、二方弁８０の開閉によって処理槽１２への水の供給が制御される。洗浄液として水を用いる場合には、二方弁８０を開状態として処理槽１２内にその水が供給される。
【００１８】
また、洗浄装置１０は、処理槽１２内と連通するよう処理槽１２外に設けられ、温水（洗浄液）が流れる温水供給回路部８２を備える。温水供給回路部８２は、制御部４８によって開閉が制御される二方弁８４（例えば、電磁弁）を備える。温水供給回路部８２は、二方弁８４の開閉によって処理槽１２への温水の供給が制御される。洗浄液として温水を用いる場合には、二方弁８４を開状態として処理槽１２内にその温水が供給される。
【００１９】
また、洗浄装置１０は、処理槽１２内と連通するよう処理槽１２外に設けられ、液状の洗剤（洗浄液）が流れる洗剤供給回路部８６を備える。洗剤供給回路部８６は、制御部４８によって開閉が制御される二方弁８８（例えば、電磁弁）を備える。洗剤供給回路部８６は、二方弁８８の開閉によって処理槽１２への洗剤の供給が制御される。洗浄液として洗剤を用いる場合には、二方弁８８を開状態として処理槽１２内にその洗剤が供給される。
【００２０】
ところで、処理槽１２は、底部が傾斜面９０に形成され、傾斜面９０の最も低い位置（下流）に凹状のポット部９２が形成されている。これにより、処理槽１２内に供給される洗浄液をポット部９２に集めることができる。また、ポット部９２には、槽外回路部６８が連通している。これにより、ポット部９２から槽外回路部６８を介して上部ノズル７０および下部ノズル７２へ洗浄液を供給することができる。ここで、洗浄装置１０は、ポット部９２内に設けられ、制御部４８によって制御されるヒータ部９４を備える。洗浄装置１０は、ヒータ部９４の加熱によってポット部９２に集められた洗浄液を温めることができ、その洗浄液を用いて洗浄することで、より洗浄効果を向上させることができる。
【００２１】
また、洗浄装置１０は、ポット部９２と連通して処理槽１２外に設けられ、洗浄液を排出する排液回路部９６を備える。排液回路部９６は、制御部４８によって開閉が制御される二方弁９８（例えば、電磁弁）を備える。排液回路部９６は、二方弁９８の開閉によって処理槽１２外への洗浄液の排出が制御される。ポット部９２に集められる洗浄液が不要の場合には、二方弁９８を開状態として排出される。
【００２２】
また、洗浄装置１０は、処理槽１２に設けられ、制御部４８によって制御される超音波発振部１００を備える。超音波発振部１００は、例えば、処理槽１２の底部外に振動板が接して設けられ、この振動板に超音波振動子が接続される。これにより、処理槽１２内に貯留されて被洗浄物を浸漬させる洗浄液に超音波を加えることができ、被洗浄物に対して吐出洗浄の他に、超音波洗浄することで、より洗浄効果を向上させることができる。
【００２３】
また、洗浄装置１０は、処理槽１２に設けられ、処理槽１２内に加熱された空気を供給する加熱空気供給部１０２および処理槽１２内の空気を排出する排気回路部１０４を備える。加熱空気供給部１０２は、制御部４８によって制御されるヒータ部１０６およびファン部１０８を備える。ヒータ部１０６によって処理槽１２内の空気が加熱され、この加熱空気がファン部１０８によって処理槽１２内の全体に行き渡る。加熱空気供給部１０２は、洗浄終了後の被洗浄物を乾燥させることができる。また、排気回路部１０４は、加熱空気による被洗浄物の乾燥によって処理槽１２内の空気が吸湿したものを排気させることができる。
【００２４】
図６および図７に示すように、ラック１８は、柱部１４および平面視（水平面視）矩形状の棚部１６を有して四角柱状の骨格構造をなしている。具体的には、４本の柱部１４が平面視矩形状の棚部１６の４つの角部のそれぞれの位置で鉛直方向において延在（起立）している。４本の柱部１４は、１段の棚部１６のそれぞれの角部に位置し、棚部１６を保持している。そして、４本の柱部１４で囲まれる領域に複数段（例えば、５段）の棚部１６（例えば、骨部で格子状に構成されて開いた棚板）が互いに平行に設けられる。
【００２５】
本実施形態では、洗浄装置１０でラック１８を収容する開口部１２ａの間口寸法を大きくせず、棚部１６に積載される被洗浄物の量を多くするため、棚部１６を平面視長方形（奥行き方向が長辺）としている。このようなラック１８に被洗浄物を積載する際には、例えば、棚部１６の長手方向に複数列（例えば、３列）に並べられる網状のバスケット１１０を用いることができる。バスケット１１０を用いることで、複数の被洗浄物が小分けされてラック１８に積載される。
【００２６】
ここで、洗浄装置１０は、ラック１８に保持して設けられる中央部ノズル２４および角部ノズル２８を備える。中央部ノズル２４は、平面視において棚部１６の幾何学的な中心にある回転軸２０で回転可能にラック１８に設けられる。中央部ノズル２４は、棚部１６の平面中央部１６ａに向かって開口する吐出口２２（第１吐出口）を有し、回転しながら吐出口２２から洗浄液が吐出される棒状のシャワーノズルである。図６に示すように、この中央部ノズル２４の回転範囲は、中央部ノズル２４の長さを直径とした平面視円形状の吐出領域２４ａとなる。言い換えると、中央部ノズル２４は、平面視において吐出領域２４ａに位置する。また、図６では、中央部ノズル２４に設けられる吐出口２２の向き（角度）によって調整可能で、洗浄液が最も遠くまで到達する最大到達吐出領域２４ｂ（吐出領域２４ａよりも大きい平面視円形状の吐出領域）も示している。なお、処理槽１２内に出し入れされるラック１８で保持される中央部ノズル２４の長さは、処理槽１２内で保持される上部ノズル７０および下部ノズル７２の長さよりも短いものとなる。
【００２７】
本実施形態では、中央部ノズル２４は、５段ある棚部１６のうち最下段のものを除いたそれぞれの下側に設けられる。これにより、棚部１６の下側から吐出された洗浄液によってその棚部１６に積載された被洗浄物が洗浄される。なお、最下段の棚部１６に積載された被洗浄物に対しては、下部ノズル７２から洗浄液が吐出され、洗浄される。もちろん、最下段の棚部１６の下側にも中央部ノズル２４が設けられてもよい。
【００２８】
また、角部ノズル２８は、吐出領域２４ａの周辺でラック１８に設けられる。具体的には、角部ノズル２８は、柱部１４に固定して設けられる。角部ノズル２８は、棚部１６の平面角部１６ｂに向かって開口する吐出口２６（第２吐出口）を有し、吐出口２６から洗浄液が吐出されるシャワーノズルである（図８参照）。すなわち、棚部１６の４つの平面角部１６ｂのそれぞれに洗浄液が吐出されるように、各柱部１４のそれぞれに角部ノズル２８が設けられる。
【００２９】
本実施形態では、角部ノズル２８は、フルコーン形のシャワーノズルであり、１つの吐出口２６から円錐状に洗浄液を吐出させることができる。この角部ノズル２８の吐出領域２８ａが図６に示されている。また、本実施形態では、角部ノズル２８は、５段ある棚部１６のうち最上段のものを除いたそれぞれの上側（棚部１６に配置されたバスケット１１０よりも上方側）に設けられる。これにより、棚部１６の上側（斜め上側）から吐出された洗浄液によってその棚部１６に積載された被洗浄物が洗浄される。なお、最上段の棚部１６に被洗浄物が積載される場合には、上部ノズル７０によって洗浄される。もちろん、最上段の棚部１６の上側にも角部ノズル２８が設けられてもよい。
【００３０】
この角部ノズル２８は、棚部１６に対して中央部ノズル２４による洗浄液の最大到達吐出領域２４ｂでは届かない平面角部１６ｂ（中央部ノズル２４の死角領域）に洗浄液を吐出させることができる。このため、洗浄装置１０は、平面視矩形状の棚部１６に積載された被洗浄物を洗浄する効果を向上させることができる。特に、角部ノズル２８は、棚部１６に対して４つの角部のそれぞれに設けられることで、４つの平面角部１６ｂに洗浄液を吐出させることができる。このため、洗浄装置１０は、棚部１６の平面全体に被洗浄物が積載されたとしても均一に洗浄することができ、洗浄効果を向上させることができる。
【００３１】
また、洗浄装置１０は、中央部ノズル２４と連通してラック１８に設けられる回路部３２（第１回路部）を備える。回路部３２は、洗浄液が注入される注入部３０（第１注入部）を有し、注入部３０から中央部ノズル２４へ洗浄液が流れる。ここで、回路部３２は、管４２および管４４を有する。管４２は、柱部１４と平行に延在して棚部１６の平面辺部に位置する（図６参照）。本実施形態では、管４２の２箇所のそれぞれに注入部３０が設けられる（図７参照）。また、管４４は、管４２と連通して管４２と直交に延在している（図２参照）。そして、中央部ノズル２４は、管４４で着脱可能に設けられる。これによれば、中央部ノズル２４を取り外した状態では、中央部ノズル２４の内部を容易に洗浄することができる。
【００３２】
また、洗浄装置１０は、角部ノズル２８と連通してラック１８に設けられる回路部３６（第２回路部）を備える。回路部３６は、洗浄液が注入される注入部３４（第２注入部）を有し、注入部３４から角部ノズル２８へ洗浄液が流れる。ここで、回路部３６が管状の柱部１４を有する。言い換えると、柱部１４が管状となって回路部３６に用いられる。そして、角部ノズル２８が管状の柱部１４に連通して設けられる。本実施形態では、正面側の２本の柱部１４が上方で連通され、背面側の２本の柱部１４が上方で連通される。このため、正面側および背面側のそれぞれに注入部３４が設けられる（図７参照）。そして、角部ノズル２８が柱部１４に着脱可能に設けられる。これによれば、角部ノズル２８を取り外した状態では、角部ノズル２８の内部を容易に洗浄することができる。
【００３３】
また、洗浄装置１０は、処理槽１２に設けられる供給部３８（第１供給部）および供給部４０（第２供給部）を備える（図４参照）。供給部３８は、注入部３０と連通された状態で回路部３２へ洗浄液が供給される。具体的には、供給部３８は、中空の膨張体であって洗浄液の流入によって膨張された状態で注入部３０と連通される。供給部４０は、注入部３４と連通された状態で回路部３６へ洗浄液が供給される。具体的には、供給部４０は、中空の膨張体であって洗浄液の流入によって膨張された状態で注入部３４と連通される。
【００３４】
これによれば、ラック１８に設けられる回路部３２および回路部３６へ処理槽１２から洗浄液を供給することができる。また、処理槽１２に対してラック１８が着脱可能となるため、例えば、処理槽１２からラック１８を取り出した状態（分離した状態）として棚部１６に被洗浄物を積載することが容易となる。具体的には、洗浄液を吐出していない状態では、注入部３０−供給部３８の連結、および注入部３４−供給部４０の連結が弛んで着脱が容易である。他方、洗浄液を吐出する状態では、注入部３０−供給部３８の連結、および注入部３４−供給部４０の連結がシールされ、液漏れを防止することができる。
【００３５】
このような回路部３２と回路部３６とは、互いに独立（すなわち別系統）しており、それぞれが異なる状態（条件）の洗浄液を流すことができる。これにより、中央部ノズル２４または角部ノズル２８の少なくともいずれかから洗浄液を吐出させたり、中央部ノズル２４と角部ノズル２８とから交互に洗浄液を吐出させたりして洗浄することができる。このような洗浄方法（洗浄パターン）は、適宜選択され、制御部４８によって実行（制御）される。すなわち、制御部４８は、中央部ノズル２４から洗浄液を吐出させる第１機能または角部ノズル２８から洗浄液を吐出させる第２機能の少なくともいずれかを実行させたり、第１機能と第２機能を交互に実行させたりすることもできる。
【００３６】
ところで、槽外回路部６８は、制御部４８によって制御されるポンプ５０を備える。このポンプ５０は、槽外回路部６８に洗浄液を送り出す。また、槽外回路部６８は、制御部４８によって開閉が制御される二方弁５６（例えば、電磁弁）を備える。二方弁５６は、流入口５２（第１流入口）および流出口５４（第１流出口）を有する。また、槽外回路部６８は、制御部４８によって開閉が制御される三方弁６４（例えば、電磁弁）を備える。三方弁６４は、流入口５８（第２流入口）、流出口６０（第２流出口）および流出口６２（第３流出口）を有する。また、槽外回路部６８は、ポンプ５０、二方弁５６および三方弁６４を連通する複数の管６６（６６ａ、６６ｂ、６６ｃ、６６ｄ）を備える。このような槽外回路部６８では、制御部４８が中央部ノズル２４から洗浄液を吐出させる第１機能および角部ノズル２８から洗浄液を吐出させる第２機能を実行させるにあたり、二方弁５６および三方弁６４の開閉が制御される。
【００３７】
第１管６６ａは、ポンプ５０から分岐して流入口５２および流入口５８のそれぞれと連通する。また、第２管６６ｂは、流出口５４と回路部３２を介して中央部ノズル２４とを連通する。この第２管６６ｂは、上部ノズル７０および下部ノズル７２とも連通する。また、第３管６６ｃは、流出口６０と回路部３６を介して角部ノズル２８とを連通する。また、第４管６６ｄは、流出口６２と第２管６６ｂの中途部とを連通する。ここで、第４管６６ｄの流路抵抗（太さ）が、第１管６６ａ、第２管６６ｂおよび第３管６６ｃの流路抵抗（太さ）よりも高い（細い）。
【００３８】
これによれば、洗浄装置１０（制御部４８）は、二方弁５６および三方弁６４の切り替え・組み合わせによる洗浄液の送液パターンから、中央部ノズル２４と角部ノズル２８による洗浄パターンを制御することができる。その際、洗浄装置１０は、中央部ノズル２４から吐出される洗浄液の流量に強弱を付けて、洗浄効果を向上させることができる。
【００３９】
具体的には、中央部ノズル２４のみから洗浄液を強く吐出させる場合、二方弁５６では流入口５２から流出口５４へ洗浄液が流れ、三方弁６４では流入口５８から流出口６２へ洗浄液が流れる（第１送液パターン）。また、中央部ノズル２４のみから洗浄液を弱く吐出させる場合、二方弁５６では流入口５２から流出口５４へ洗浄液が流れず、三方弁６４では流入口５８から流出口６２へ洗浄液が流れる（第２送液パターン）。また、中央部ノズル２４および角部ノズル２８から洗浄液を強く吐出させる場合、二方弁５６では流入口５２から流出口５４へ洗浄液が流れ、三方弁６４では流入口５８から流出口６０へ洗浄液が流れる（第３送液パターン）。また、角部ノズル２８のみから洗浄液を強く吐出させる場合、二方弁５６では流入口５２から流出口５４へ洗浄液が流れず、三方弁６４では流入口５８から流出口６０へ洗浄液が流れる（第４送液パターン）。また、中央部ノズル２４と角部ノズル２８から交互に洗浄液を強く吐出させる場合、前述の第１送液パターンと第４送液パターンとが交互に行われればよい。
【００４０】
なお、インバータを用いてポンプ５０からの送液状態に強弱を付けることで、吐出される洗浄液の流量に強弱を付けることも考えられる。しかしながら、インバータから電磁ノイズが発生し、洗浄装置１０がＥＭＣ（electromagnetic compatibility）規制に適合しないおそれがある。そこで、洗浄装置１０は、インバータの代わりに二方弁５６および三方弁６４の切り替え・組み合わせによって洗浄パターンを制御することで、電磁ノイズが発生するのを防止することができる。また、インバータの代わりに二方弁５６および三方弁６４を用いることは、製品コストを低減させることができる。
【００４１】
（実施形態２）
本発明に係る実施形態２では、前記実施形態１とは構成の異なる角部ノズル２８について図面を参照して説明する。図９は、ラック１８の概略平面図である。図１０は、図９に示すラック１８の概略斜視図である。図１１は、図９に示すラック１８の一要部（主に角部ノズル２８）を拡大した概略斜視図である。なお、図９は、ラック１８の柱部１４を切断した状態で示している。
【００４２】
図９に示すように、本実施形態においても、中央部ノズル２４は、ラック１８に設けられ、棚部１６の平面中央部１６ａに向かって平面視円形状の吐出領域２４ａで洗浄液が吐出される。また、角部ノズル２８は、吐出領域２４ａの周辺でラック１８に設けられる。具体的には、角部ノズル２８は、柱部１４に固定して設けられ、棚部１６の平面角部１６ｂに向かって洗浄液が吐出される。
【００４３】
本実施形態では、角部ノズル２８は、複数の吐出口２６のそれぞれから扇状に洗浄液を互いに平行に吐出させることができるシャワーノズルである。この角部ノズル２８は、５段ある棚部１６のうち最上段のものを除いたそれぞれの上側（棚部１６に配置されたバスケット１１０の側方側）に設けられる。これにより、棚部１６の上側（側方上側）から吐出された洗浄液によってその棚部１６に積載された被洗浄物が洗浄される。なお、最上段の棚部１６に被洗浄物が積載される場合には、上部ノズル７０によって洗浄される。もちろん、最上段の棚部１６の上側にも角部ノズル２８が設けられてもよい。
【００４４】
この角部ノズル２８は、棚部１６に対して中央部ノズル２４による洗浄液の最大到達吐出領域２４ｂでは届かない平面角部１６ｂ（死角領域）に洗浄液を吐出させることができる。このため、洗浄装置１０は、棚部１６に積載された被洗浄物を洗浄する効果を向上させることができる。特に、角部ノズル２８は、棚部１６に対して４つの角部のそれぞれに設けられることで、４つの平面角部１６ｂ（中央部ノズル２４の死角領域）に洗浄液を吐出させることができる。このため、洗浄装置１０は、棚部１６の平面全体に被洗浄物が積載されたとしても均一に洗浄することができ、洗浄効果を向上させることができる。
【００４５】
また、本実施形態では、角部ノズル２８と連通してラック１８に設けられる回路部３６が管状の柱部１４を有する。言い換えると、柱部１４が管状となって回路部３６に用いられる。正面側の２本の柱部１４が上方で連通され、背面側の２本の柱部１４が上方で連通される。そして、角部ノズル２８が管状の柱部１４に連通して設けられる。本実施形態では、角部ノズル２８が柱部１４に着脱可能に設けられる。これによれば、角部ノズル２８を取り外した状態では、角部ノズル２８の内部を容易に洗浄することができる。
【００４６】
（実施形態３）
本発明に係る実施形態３では、前記実施形態１、２とは構成の異なる角部ノズル２８について図面を参照して説明する。図１２は、ラック１８の概略平面図である。図１３は、図１２に示すラック１８の概略斜視図である。図１４は、図１２に示すラック１８の一要部（主に角部ノズル２８）を拡大した概略斜視図である。なお、図１２は、ラック１８の柱部１４を切断した状態で示している。
【００４７】
図１２に示すように、本実施形態においても、中央部ノズル２４は、ラック１８に設けられ、棚部１６の平面中央部１６ａに向かって平面視円形状の吐出領域２４ａで洗浄液が吐出される。また、角部ノズル２８は、吐出領域２４ａの周辺でラック１８に設けられる。具体的には、角部ノズル２８は、柱部１４に設けられ、棚部１６の平面角部１６ｂに向かって洗浄液が吐出される。
【００４８】
本実施形態では、角部ノズル２８は、柱部１４に穿孔してなる複数の吐出口２６のそれぞれから線状（ビーム状）に洗浄液を放射状に吐出させることができるシャワーノズルである。この角部ノズル２８は、５段ある棚部１６のそれぞれの上側（棚部１６に配置されたバスケット１１０の側方側）に設けられる。これにより、棚部１６の上側（側方上側）から吐出された洗浄液によってその棚部１６に積載された被洗浄物が洗浄される。なお、最上段の棚部１６に被洗浄物が積載される場合には、上部ノズル７０によっても洗浄される。
【００４９】
この角部ノズル２８は、棚部１６に対して中央部ノズル２４による洗浄液の最大到達吐出領域２４ｂでは届かない平面角部１６ｂ（死角領域）に洗浄液を吐出させることができる。このため、洗浄装置１０は、棚部１６に積載された被洗浄物を洗浄する効果を向上させることができる。特に、角部ノズル２８は、棚部１６に対して４つの角部のそれぞれに設けられることで、４つの平面角部１６ｂ（中央部ノズル２４の死角領域）に洗浄液を吐出させることができる。このため、洗浄装置１０は、棚部１６の平面全体に被洗浄物が積載されたとしても均一に洗浄することができ、洗浄効果を向上させることができる。
【００５０】
また、本実施形態では、角部ノズル２８と連通してラック１８に設けられる回路部３６が管状の柱部１４を有する。言い換えると、柱部１４が管状となって回路部３６に用いられる。正面側の２本の柱部１４が上方で連通され、背面側の２本の柱部１４が上方で連通される。そして、角部ノズル２８が管状の柱部１４に連通して設けられる。本実施形態では、回路部３６が管状の柱部１４に着脱可能に設けられるキャップ部４６を有する。これによれば、キャップ部４６を取り外した状態では、管状の柱部１４の内部にブラシなどの治具を挿入して、その内部を容易に洗浄することができる。
【００５１】
（実施形態４）
本発明に係る実施形態４では、前記実施形態１、２、３の柱部１４ではなく、棚部１６に設けられる角部ノズル２８について図面を参照して説明する。図１５は、ラック１８の概略斜視図である。図１６は、着脱可能な棚部１６を取り外した状態のラック１８の概略斜視図である。図１７は、着脱可能な棚部１６の上方からの概略斜視図である。図１８は、着脱可能な棚部１６の下方からの概略斜視図である。図１９は、図１５に示すラック１８の一要部（主に角部ノズル２８）を拡大した概略斜視図である。
【００５２】
図１５、図１６に示すように、ラック１８は、柱部１４および平面視（水平面視）矩形状の棚部１６を有して四角柱状の骨格構造をなしている。具体的には、４本の柱部１４が平面視矩形状の棚部１６の４つの角部のそれぞれの位置で鉛直方向において延在（起立）している。４本の柱部１４は、１段の棚部１６のそれぞれの角部に位置し、各棚部１６を保持している。これら４本の柱部１４で囲まれる領域に複数段（例えば、４段）の棚部１６（例えば、骨部で格子状に開いた棚板）が互いに平行に設けられる。そして、棚部１６に並べられるバスケット１１０（図６等参照）を用いて、複数の被洗浄物が小分けされてラック１８に積載される。
【００５３】
本実施形態では、４段の棚部１６のうち最下段を除く３段が着脱可能な棚部１６である。このため、ラック１８は正面側の柱部１４と背面側の柱部１４とを両側面側で連結（管４２側の側面では管４２を介して連結）する梁部１２０を有する。そして、着脱可能な棚部１６は、ラック１８の両側面側の梁部１２０で引っ掛けて保持されるために、引掛爪１２２を有する。このように、着脱可能な棚部１６が梁部１２０を介して柱部１４に設けられる。
【００５４】
本実施形態においても、洗浄装置１０は、ラック１８に保持して設けられる中央部ノズル２４および角部ノズル２８を備える。中央部ノズル２４は、棚部１６の平面中央部１６ａに向かって平面視円形状の吐出領域２４ａ（図６など参照）で洗浄液が吐出される構成である。本実施形態では、中央部ノズル２４は、４段ある棚部１６のうち最下段のものを除いたそれぞれの下側に設けられる。これにより、棚部１６の下側から吐出された洗浄液によってその棚部１６に積載された被洗浄物が洗浄される。なお、最下段の棚部１６に積載された被洗浄物に対しては、下部ノズル７２（図４など参照）から洗浄液が吐出され、洗浄される。もちろん、最下段の棚部１６の下側にも中央部ノズル２４が設けられてもよい。
【００５５】
角部ノズル２８は、吐出領域２４ａの周辺でラック１８に設けられる。具体的には、角部ノズル２８は、棚部１６に設けられ、棚部１６の平面角部１６ｂ（図６など参照）に向かって洗浄液が吐出される。すなわち、棚部１６の４つの平面角部１６ｂのそれぞれに洗浄液が吐出されるように、棚部１６に角部ノズル２８が設けられる。この角部ノズル２８は、棚部１６の平面角部１６ｂに向かって開口し、棚部１６を構成する骨部１２４に穿孔してなる複数の吐出口２６（図１９参照）を有する。すなわち、角部ノズル２８は、複数の吐出口２６のそれぞれから線状（ビーム状）に洗浄液を放射状に吐出させることができるシャワーノズルである。
【００５６】
また、洗浄装置１０は、角部ノズル２８と連通してラック１８に設けられる回路部３６を備える。回路部３６は、洗浄液が注入される注入部３４を有し、注入部３４から角部ノズル２８へ洗浄液が流れる。具体的な構成としては、ラック１８の一方の側面側において、注入部３４が管状の柱部１４に連通して設けられる。また、角部ノズル２８が棚部１６の管状の骨部１２４に連通して設けられる。そして、柱部１４に固定して設けられる最下段の棚部１６では、管状の柱部１４と管状の骨部１２４とが直接連通して設けられる。
【００５７】
他方、柱部１４に着脱可能に設けられる他の棚部１６では、管状の梁部１２０を介して管状の柱部１４と管状の骨部１２４とが連通して設けられる。このため、管状の柱部１４と管状の梁部１２０とは直接連通して設けられる。また、管状の梁部１２０と管状の骨部１２４とは管状の梁部１２０に設けられたシール部材１２６（例えば、ゴムブッシュ）を介して連通して設けられる。すなわち、着脱可能な棚部１６を取り付ける際には、シール部材１２６を介して洗浄液を供給する側の梁部１２０の供給口１２０ａと、洗浄液が注入される側の骨部１２４の注入口１２４ａとを位置合わせして連通する。なお、着脱可能な棚部１６が取り外された状態では、その棚部１６の管状の骨部１２４の内部を容易に洗浄することができる。
【００５８】
このように、本実施形態では、回路部３６が管状の柱部１４と、管状の梁部１２０と、棚部１６を構成する管状の骨部１２４と、を有する。言い換えると、柱部１４、梁部１２０および棚部１６の骨部１２４が管状となって回路部３６に用いられる。そして、回路部３６と連通して設けられる角部ノズル２８は、棚部１６に対して中央部ノズル２４による洗浄液の最大到達吐出領域２４ｂ（図６など参照）では届かない平面角部１６ｂ（死角領域）に洗浄液を吐出させることができる。
【００５９】
このため、洗浄装置１０は、棚部１６に積載された被洗浄物を洗浄する効果を向上させることができる。特に、角部ノズル２８は、棚部１６に対して４つの角部のそれぞれに設けられることで、４つの平面角部１６ｂ（中央部ノズル２４の死角領域）に洗浄液を吐出させることができる。このため、洗浄装置１０は、棚部１６の平面全体に被洗浄物が積載されたとしても均一に洗浄することができ、洗浄効果を向上させることができる。
【００６０】
また、最下段の棚部１６の骨部１２４では、上側に吐出口２６が設けられ、その他の着脱可能な棚部１６の骨部１２４では、上側および下側（図１７、図１８参照）に吐出口２６が設けられる。特に、棚部１６の骨部１２４の上側に角部ノズル２８を設けることで、棚部１６にバスケット１１０を介して積載される被洗浄物の直下から洗浄液を吐出させることができ、洗浄効果をより向上させることができる。
【００６１】
以上、本発明を実施形態に基づき具体的に説明したが、本発明は前記実施形態に限定されるものではなく、次のとおり、その要旨を逸脱しない範囲で種々変更可能であることはいうまでもない。
【００６２】
前記実施形態１〜４では、ラックの棚部が平面視長方形状（矩形状）の場合について説明した。これに限らず、ラックの棚部が平面視正方形状（矩形状）とした場合にも適用することができ、その平面角部にも洗浄液を吐出して洗浄効果を向上させることができる。
【００６３】
前記実施形態１〜４では、平面視円形状の吐出領域に位置する中央部ノズルとして回転可能な棒状のシャワーノズルを用いた場合について説明した。これに限らず、中央部ノズルとして平面視円形状のシャワーノズルを用いることもできる。
【符号の説明】
【００６４】
１０  洗浄装置；          １２  処理槽；            １２ａ  開口部；
１４  柱部；              １６  棚部；              １６ａ  平面中央部；
１６ｂ  平面角部；        １８  ラック；            ２０  回転軸；
２２  吐出口；            ２４  中央部ノズル；      ２４ａ  吐出領域；
２４ｂ  最大到達吐出領域；２６  吐出口；            ２８  角部ノズル；
２８ａ  吐出領域；        ３０  注入部；            ３２  回路部；
３４  注入部；            ３６  回路部；            ３８  供給部；
４０  供給部；            ４２、４４  管；          ４６  キャップ部；      
４８  制御部；            ５０  ポンプ；            ５２  流入口；
５４  流出口；            ５６  二方弁；            ５８  流入口；
６０  流出口；            ６２  流出口；            ６４  三方弁；          
６６、６６ａ、６６ｂ、６６ｃ、６６ｄ  管；          ６８  槽外回路部；      
７０  上部ノズル；        ７２  下部ノズル；        ７４  吐出口；          
７６  吐出口；            ７８  水供給回路部；      ８０  二方弁；          
８２  温水供給回路部；    ８４  二方弁；            ８６  洗剤供給回路部；  
８８  二方弁；            ９０  傾斜面；            ９２  ポット部；        
９４  ヒータ部；          ９６  排液回路部；        ９８  二方弁；          
１００  超音波発振部；    １０２  加熱空気供給部；  １０４  排気回路部；    
１０６  ヒータ部；        １０８  ファン部；        １１０  バスケット；
１２０  梁部；            １２０ａ  供給口；        １２２  引掛爪；
１２４  骨部；            １２４ａ  注入口；        １２６  シール部材。
【図１】
0006637721.tif 000002
【図２】
0006637721.tif 000003
【図３】
0006637721.tif 000004
【図４】
0006637721.tif 000005
【図５】
0006637721.tif 000006
【図６】
0006637721.tif 000007
【図７】
0006637721.tif 000008
【図８】
0006637721.tif 000009
【図９】
0006637721.tif 000010
【図１０】
0006637721.tif 000011
【図１１】
0006637721.tif 000012
【図１２】
0006637721.tif 000013
【図１３】
0006637721.tif 000014
【図１４】
0006637721.tif 000015
【図１５】
0006637721.tif 000016
【図１６】
0006637721.tif 000017
【図１７】
0006637721.tif 000018
【図１８】
0006637721.tif 000019
【図１９】
0006637721.tif 000020